(57)【要約】【課題】できるだけ強度が高く且つ製造コストが安い安価な生花ポット配送用パネルを提供する。【解決手段】略矩形の枠体と、該枠体の内側に嵌め込まれた格子板と、該枠体の対向する短辺に設けられた係合金具とを備え、該格子板は交叉する複数本の斜桟からなり、該斜桟は複数個の正方形を二次元方向に連続的に形成するように交叉している。前記各斜桟は、接近する２本の棒状体（鉄棒）で形成してもよく、前記棒状体は交叉している部分で相互に溶接して連結させてもよい。また、下面側に位置する棒状体の上には補強用の棒状体を溶接して段差を無くするようにしてもよい。【選択図】図１
0003108411.tif 000002
【実用新案登録請求の範囲】
【請求項１】
略矩形の枠体と、該枠体の内側に嵌め込まれた格子板と、該枠体の対向する短辺に設けられた係合金具とを備え、該格子板は交叉する複数本の斜桟からなり、該斜桟は複数個の正方形を二次元方向に連続的に形成するように交叉していることを特徴とする生花ポット配送用パネル。
【請求項２】
前記各斜桟が、同一平面に配置された平行な２本の棒状体からなることを特徴とする請求項１に記載の生花ポット配送用パネル。
【請求項３】
前記各斜桟が交叉している部分で相互に溶接されていることを特徴とする請求項１又は２に記載の生花ポット配送用パネル。
【請求項４】
前記棒状体のうちで下側から交叉している棒状体の上には補強用の棒状体が平行に重ねられた状態で溶接されていることを特徴とする請求項２又は３に記載の生花ポット配送用パネル。
【請求項５】
前記正方形の一辺の長さは挿入される生花ポットの中間部の外径と略等しいことを特徴とする請求項１〜４のいずれかに記載の生花ポット配送用パネル。
【考案の詳細な説明】
【技術分野】
【０００１】
本考案は、生花の束を多数本入れた生花ポットを厳重な梱包をすることなくそのまま安全且つ大量に運ぶことができ、しかも牛乳や豆腐等の重い商品が一時的に載せられて使用されても、変形したり、破損したりしないような強度を持った生花ポット配送用パネルに関する。
【背景技術】
【０００２】
スーパーマーケット等では、図７に示すように、多数の花束が入れられた生花ポット２４が枠台車２２の生花ポット配送用パネル１０に差し込まれ、そのままの状態で花束が展示・販売されたり、又は枠台車２２から生花ポット２４を下ろし、この生花ポット２４を並べた状態で花束が展示・販売されている。
【０００３】
この生花はそのスーパーマーケットを統括する配送センターから配送されてきたものであり、配送センターでは生産地や市場から生花が段ボールに入れられた状態で運び込まれ、配送センターで花束に小分けされ、ラップで包まれ、ラップにバーコードシール等を貼付され、水を入れた生花ポット２４に挿入され、枠台車２２にこの生花ポット２４が挿入された状態で積み込まれ、厳重な梱包をすることなく、生花ポット２４が枠台車２２ごと配送用自動車で各スーパーマーケット等に配送されている。
【０００４】
この流通方式は、通常の商品のように、開梱して並べる手間がかからないのと、商品をそのまま運ぶので、包装容器等にかかるコストやこれらに起因するゴミの後かたづけが不要なので、流通、販売コストを大幅に抑えることができるという、優れたものである。
【０００５】
図８は従来の生花ポット配送用パネルの斜視図であり、生花ポット配送用パネル１０は、矩形の鉄板２６と、この鉄板２６の廻りを囲う鉄枠２８と、鉄板２６の裏側に十文字状に設けられた補強用の鉄棒３０と、鉄枠２８の外側に設けられた係合金具３２とからなる。鉄板２６には生花ポット２４の中間付近の外径と略同じ内径の丸穴３４が複数個設けられている。鉄板２６の周囲には鉄枠２８が全周に亘って溶接されている。鉄板２６の裏側には鉄棒３０が丸穴３４を避けるようにして溶接されている。
【考案の開示】
【考案が解決しようとする課題】
【０００６】
ところで、スーパーマーケット等の現場においては、生花ポット配送用パネルは生花ポットを運ぶためだけに限定して使用されるとは限らず、一時的に別の商品、例えば牛乳や豆腐等が積まれて運ばれてしまうこともある。
【０００７】
しかし、生花ポット配送用パネルは生花ポットを運ぶことだけを予定して作られており、重い商品を運ぶことを想定して作られていないので、積載強度はそれほど大きいものではない。従って、生花ポット以外の牛乳や豆腐等といった非常に重い商品が積まれて運ばれた場合は鉄板が曲がり、ひどいときは鉄枠から鉄板の一部が外れたりすることがあった。
【０００８】
また、この生花ポット配送用パネルを製作する場合、鉄板に複数の丸い孔を正確に開ける加工をしなければならないが、このような加工には有る程度の技術が必要である。また、鉄板に鉄枠を設ける場合は全周溶接をしなければならない。そして、一つの配送センターで使用される生花ポット配送用パネルは相当な枚数にのぼる。このため、生花ポット配送用パネルを製作するためにはかなりのコストがかかるという問題があった。
【０００９】
本考案は、かかる問題点を解決するためになされたものであり、できるだけ強度が高く且つ製造コストが安い安価な生花ポット配送用パネルを提供しようとするものである。
【課題を解決するための手段】
【００１０】
本考案にかかる生花ポット配送用パネルは、略矩形の枠体と、該枠体の内側に嵌め込まれた格子板と、該枠体の対向する短辺に設けられた係合金具とを備え、該格子板は交叉する複数本の斜桟からなり、該斜桟は複数個の正方形を二次元方向に連続的に形成するように交叉している。
【００１１】
ここで、前記各斜桟は、接近する２本の棒状体（鉄棒）で形成してもよい。また、前記棒状体は交叉している部分で相互に溶接して連結させてもよい。また、下面側に位置する棒状体の上には補強用の棒状体を溶接して上面側の段差を無くするようにしてもよい。
【００１２】
また、前記係合金具は、台車の横バーと同じ高さにパネルを取り付けるタイプのものでもよいし、台車の横バーより下位置にパネルが来るように取り付ける吊り下げタイプのものでもよい。また、前記正方形の一辺の長さは挿入される生花ポットの中間部の外径と略等しい。
【考案の効果】
【００１３】
本考案に係る生花ポット配送用パネルによれば、前記各斜桟が、接近する２本の棒状体からなり、前記棒状体が交叉している部分で相互に溶接され、下面側に位置する棒状体の上には補強用の棒状体が溶接されているので、平坦部分の強度が高くなっており、重い商品（牛乳、豆腐等）を載せて一時的に使用しても、変形したり、壊れたりしないという優れた効果を奏する。
【００１４】
また、本考案に係る生花ポット配送用パネルによれば、比較的溶接し易い部分溶接だけで製造できるので、従来のように面倒な全周溶接をする必要がなく、溶接ミスが生じ難く、不良品が生じ難く、高い溶接技術を持っていない技術者でも製造でき、従って、低コストで生花ポット配送用パネルを製造することができるという優れた効果を奏する。
【考案を実施するための最良の形態】
【００１５】
図１は本考案に係る生花ポット配送用パネルの斜視図、図２は本考案に係る生花ポット配送用パネルの平面図、図３は図２のａ−ａ線矢視断面図、図４は図２のｂ−ｂ線矢視断面図である。
これらの図において、１０は生花ポット配送用パネルであり、生花ポット配送用パネル１０は、略矩形の枠体１２と、枠体１２の内側に嵌め込まれた格子板１４と、枠体１２の対向する短辺１２ａに設けられた係合金具１６とからなる。
【００１６】
枠体１２は矩形に折り曲げ加工された帯状のやや厚目の鋼板からなり、枠体１２の角部１２ｂにはＲが付けられていて、角部１２ｂに人が誤って当たった時にけがを生じさせ難くなっている。
【００１７】
格子板１４は交叉する複数本の斜桟１８からなり、斜桟１８は複数個の正方形を二次元方向に連続的に形成するように交叉している。斜桟１８は接近する２本の平行な棒状体１８ａ，１８ａからなり、棒状体１８ａ，１８ａは交叉している他の棒状体１８ａ，１８ａと交叉部分において相互に溶接されている。また、棒状体１８ａ，１８ａの端部は枠体１２に溶接されている。
【００１８】
交叉している棒状体１８ａ，１８ａのうちで、下面側に位置する棒状体１８ａ，１８ａの上には補強用の棒状体２０が棒状体１８ａ，１８ａに対して平行に溶接され、格子板１４の上面に段差が形成されないようになっている。
【００１９】
斜桟１８が形成する正方形の一辺の長さは挿入される生花ポットの中間部の外径と略等しくなっている。係合金具１６は、枠台車の横桟に枠体１２を水平に取り付けるものである。係合金具１６は、枠体１２を枠台車の横桟に直接的に取り付けるタイプのものでもよいし、図５に示すように、枠台車の横桟より下位置に枠体１２を吊り下げるように取り付けるタイプのものでもよい。
【００２０】
次に、上記した生花ポット配送用パネルを使用して生花ポットを運ぶ場合について説明する。
【００２１】
まず、図６に示すように、生花ポット配送用パネル１０の正方形の枠の中に多数の花束を入れた生花ポット２４を嵌め込む。正方形の間隔は生花ポット２４の中間部の外径と同じにしてあるので、生花ポット２４は中間部付近で斜桟によって支えられる。
【００２２】
この状態で、通常の配送手順に従って各スーパーマーケットに生花ポット２４を枠台車２２ごと配送し、各スーパーマーケットでは通常の手順に従って生花ポット２４内の生花を枠台車２２ごと又は枠台車２２から生花ポット２４を下ろした状態で展示、販売する。
【００２３】
なお、各スーパーマーケットでは、一時的に生花ポット配送用パネル１０に生花ポット２４以外の牛乳や豆腐等といった非常に重い商品が積まれることが有るかもしれないが、斜桟１８を構成している棒状体１８ａ，１８ａは補強用の棒状体２０で補強されているので、これらの商品の重みで曲がることはない。
【００２４】
また、本考案の生花ポット配送用パネルは、上記した実施の形態に限定されるものではなく、本考案の要旨を逸脱しない範囲内において種々変更を加え得ることは勿論である。
【産業上の利用可能性】
【００２５】
本考案の生花ポット配送用パネルは他の商品を配送する用途にも使用することができ、強度を高めることによって生花ポット以外の重い商品を配送する用途にも適用できる。
【図面の簡単な説明】
【００２６】
【図１】本考案の一実施の形態に係る生花ポット配送用パネルの斜視図である。
【図２】本考案の一実施の形態に係る生花ポット配送用パネルの平面図である。
【図３】図２のａ−ａ線矢視断面図である。
【図４】図２のｂ−ｂ線矢視断面図である。
【図５】本考案の他の実施の形態に係る生花ポット配送用パネルの斜視図である。
【図６】本考案の一実施の形態に係る生花ポット配送用パネルの使用状態を示す斜視図である。
【図７】従来の生花ポット配送用パネルの使用状態を示す斜視図である。
【図８】従来の生花ポット配送用パネルの一例の斜視図である。
【符号の説明】
【００２７】
１０  生花ポット配送用パネル
１２  枠体
１２ａ  短辺
１２ｂ  角部
１４  格子板
１６  係合金具
１８  斜桟
１８ａ  棒状体
２０  棒状体
【図１】
0003108411.tif 000003
【図２】
0003108411.tif 000004
【図３】
0003108411.tif 000005
【図４】
0003108411.tif 000006
【図５】
0003108411.tif 000007
【図６】
0003108411.tif 000008
【図７】
0003108411.tif 000009
【図８】
0003108411.tif 000010